(57)【要約】【課題】  画像形成装置の装置支持台に引き出し可能な収納部を設けることにより、画像形成装置本体の高さや大きさを変更することなく取扱説明書等を収納可能な画像形成装置の装置支持台を提供することを目的とする。【解決手段】  １段または複数段の給紙カセット４を有する装置本体部３００を具備する画像形成装置２００の装置支持台１００において、給紙カセット４の下部に装置本体部３００と着脱可能に設けられた支持台部１０と、支持台部１０に引き出し可能に設けられた収納部２０と、支持台部１０の下部に設けられたキャスター３０とを有するものである。【選択図】図２
2008015292.tif 000002
【特許請求の範囲】
【請求項１】
１段または複数段の給紙カセットを有する装置本体部を具備する画像形成装置の装置支持台において、
前記給紙カセットの下部に前記装置本体部と着脱可能に設けられた支持台部と、
前記支持台部に引き出し可能に設けられた収納部とを有することを特徴とする画像形成装置の装置支持台。
【請求項２】
前記支持台部の下部にキャスターを有することを特徴とする請求項１記載の画像形成装置の装置支持台。
【請求項３】
前記収納部を前記支持台部に収納した時に、装置支持台の収納部引き出し側の面が平面状であることを特徴とする請求項１又は２記載の画像形成装置の装置支持台。
【請求項４】
前記装置支持台の高さが前記給紙カセットの１段分の高さより低いことを特徴とする請求項１乃至３記載の画像形成装置の装置支持台。
【発明の詳細な説明】
【技術分野】
【０００１】
本発明は、画像形成装置の装置支持台に関し、詳しくは、装置支持台の支持台部下部に引き出し可能な収納部を具備する画像形成装置の装置支持台に関する。
【背景技術】
【０００２】
スキャナー、コピー機、ファクシミリ及びこれらの複合機等の画像形成装置においては、装置の操作方法等を説明した取扱説明書が購入した装置に同梱されており、ユーザーは必要に応じて取扱説明書を使用する。また、上記画像形成装置においては、画像形成を行った画像を記録するために用紙を給紙カセットに供給して使用する。上記取扱説明書及び用紙は、必要な時にすぐに使用できるように画像形成装置近傍に保存しておくことが望ましく、また、画像形成装置近傍に取扱説明書及び用紙の保存スペースを確保する要求が高い。この保存スペースの確保を目的とした発明として、特許文献１には、取扱説明書等を画像形成装置と一体的に収納するための収納機構を側面に有する画像形成装置が開示されている。
【特許文献１】特開２００４−６１９５７号公報
【発明の開示】
【発明が解決しようとする課題】
【０００３】
従来の画像形成装置５００は、図６（ａ）に示すように、装置支持台５０に給紙カセット５１を有する装置本体部５２が支持された構成となっている。また、画像形成装置５００は、ユーザーの要求に応じて、図６（ｂ）及び（ｃ）に示すように、給紙カセット５１の積載段数を減らした構成にすることも可能である。図６（ｂ）及び（ｃ）の場合、装置支持台５０と給紙カセット５１との間にはスペース５３が生じる。このスペース５３を収納部として活用することにより、取扱説明書や用紙を画像形成装置５００内部に収納することができる。
【０００４】
しかし、図６（ａ）の場合、スペース５３が生じないため、図６（ｂ）及び（ｃ）の場合のように、画像形成装置５００内部に取扱説明書や用紙を収納する収納部を設けることができない。また、図６（ｂ）において新たに給紙カセット５１を増設したい場合、増設によりスペース５３が無くなるため、画像形成装置５００内部に取扱説明書等を収納する収納部を設けることができなくなる。
【０００５】
ここで、図６に示す画像形成装置５００の高さＨは、ユーザーに対する装置の利便性を考慮して設定された高さであり、高さＨが高すぎると、特に背の低いユーザーに対する操作性が悪くなる。従って、図６（ａ）の場合において、給紙カセット５１の下部にスペース５３を設けることにより画像形成装置５００の内部に取扱説明書等を収納する収納部を設けると、画像形成装置５００の高さが高さＨより高くなるため、ユーザーへの利便性が悪くなるといった問題が生じる。また、図６（ｂ）において新たに給紙カセット５１を増設する場合も同様の問題が生じるため、給紙カセット５１の増設と収納部の設置とを同時に行うことができない。なお、図６（ｄ）のように、給紙カセット５１の下方に画像形成装置５００の高さが高さＨとなるような装置支持台５０Ａを設置する場合がある。この場合においても、新たに給紙カセット５１を増設すると同様の問題が生じる。
【０００６】
さらに、特許文献１に示す画像形成装置のように、収納部を画像形成装置の側面に設けると、収納部が側面より突出する分、画像形成装置本体が大きくなり、画像形成装置の設置スペースを収納部の突出する分、余分に設けなければならないといった問題も生じる。
【０００７】
本発明は、かかる問題を解決すべくなされたものであり、画像形成装置の装置支持台に引き出し可能な収納部を設けることにより、画像形成装置の高さや大きさを変更することなく取扱説明書等を収納可能な画像形成装置の装置支持台を提供することを目的とする。
【課題を解決するための手段】
【０００８】
当該目的を達成するために、請求項１に記載の画像形成装置の装置支持台は、１段または複数段の給紙カセットを有する装置本体部を具備する画像形成装置の装置支持台において、前記給紙カセットの下部に前記装置本体部と着脱可能に設けられた支持台部と、前記支持台部に引き出し可能に設けられた収納部とを有することを特徴としている。
【０００９】
請求項２に記載の画像形成装置の装置支持台は、請求項１記載の画像形成装置の装置支持台において、前記支持台部の下部にキャスターを有することを特徴としている。
【００１０】
請求項３に記載の画像形成装置の装置支持台は、請求項１又は２記載の画像形成装置の装置支持台において、前記収納部を前記支持台部に収納した時に、装置支持台の収納部引き出し側の面が平面状であることを特徴としている。
【００１１】
請求項４に記載の画像形成装置の装置支持台は、請求項１乃至３記載の画像形成装置の装置支持台において、前記装置支持台の高さが前記給紙カセットの１段分の高さより低いことを特徴としている。
【発明の効果】
【００１２】
請求項１に記載の画像形成装置の装置支持台によれば、給紙カセットの下部に装置本体部と着脱可能に設けられた支持台部と、支持台部に引き出し可能に設けられた収納部とを有することから、画像形成装置の高さや大きさを変更することなく取扱説明書等を収納可能な画像形成装置の装置支持台を提供することができる。また、装置本体部と着脱可能に支持台部が設けられていることから、給紙カセットの装置本体部への増設が容易にできる画像形成装置の装置支持台を提供することができる。
【００１３】
請求項２に記載の画像形成装置によれば、請求項１記載の画像形成装置の装置支持台において、支持台部の下部にキャスターを有することから、装置本体部を容易に移動可能な画像形成装置の装置支持台を提供することができる。
【００１４】
請求項３に記載の画像形成装置によれば、請求項１又は２記載の画像形成装置の装置支持台において、収納部を支持台部に収納した時に、装置支持台の収納部引き出し側の面が平面状であることから、デザイン的にすっきりした画像形成装置の装置支持台を提供することができる。
【００１５】
請求項４に記載の画像形成装置によれば、請求項１乃至３記載の画像形成装置の装置支持台において、前記装置支持台の高さが前記給紙カセットの１段分の高さより低いことから、画像形成装置の高さを高くすることなく取扱説明書等の収納及び給紙カセットの増設可能な画像形成装置の装置支持台を提供することができる
【発明を実施するための最良の形態】
【００１６】
以下、本発明の実施の形態に係る画像形成装置の装置支持台１００について図面に基づいて説明する。まず、装置支持台１００を具備する画像形成装置２００について説明する。図１は、装置本体部３００を本発明の実施形態に係る画像形成装置の装置支持台１００に支持した際の画像形成装置２００の概観を示す斜視図である。以下に述べる画像形成装置２００の例としては、スキャナー、コピー機、ファクシミリ及びこれらの複合機が挙げられる。画像形成装置２００は、図１に示すように、装置支持台１００と、給紙部１の上方に画像記録部２が配置され、さらに画像記録部２の上方に画像読取部３を配置した装置本体部３００とで構成されている。
【００１７】
給紙部１は複数の給紙カセット４を有しており、ユーザーの要求により給紙カセット４の積載段数を増減することができる。給紙カセット４にはサイズが異なる記録用紙がそれぞれ収納されており、画像読取部３の操作部５の入力に応じて一の給紙カセット４から所定サイズの記録用紙が繰り出されて、画像記録部２へ給紙されるように構成されている。
【００１８】
画像記録部２の内部は、図示されていないが、給紙部１から給紙された記録用紙を所定経路で搬送するための記録用紙搬送路が形成され、記録用紙搬送路には、記録用紙を送るためのフィードローラが適宜配置されるとともに、記録用紙に画像を記録するための感光体ドラムや転写器、定着器等が配置されている。
【００１９】
画像読取部３は、読取載置台６内に設けられたＣＣＤ等の画像読取手段（図示せず）が走査されて静止原稿等を読み取るフラットベッドタイプのスキャナと、画像読取手段を所定位置に固定して、原稿押さえカバー７に設けられた自動原稿搬送装置（ＡＤＦ）により原稿を連続給紙しながら画像を読取るシートスルータイプのスキャナとの双方の使用が可能なように構成されている。
【００２０】
装置本体部３００は、図１に示すように、装置支持台１００の上方で着脱可能に支持されている。装置本体部３００が装置支持台１００と着脱可能に支持されていることから、給紙カセット４の積載段数を容易に変更することできる。
【００２１】
次に、本発明の実施の形態に係る画像形成装置２００の装置支持台１００の詳細について、図面に基づいて説明する。図２は、本発明の実施の形態に係る画像形成装置２００の装置支持台１００の概観を示す斜視図、図３（ａ）は、本発明の実施の形態に係る画像形成装置２００の装置支持台１００の正面図、図３（ｂ）は、本発明の実施の形態に係る画像形成装置２００の装置支持台１００の側面図、図４（ａ）は、本発明の実施の形態に係る画像形成装置２００の装置支持台１００の上面図、図４（ｂ）は、本発明の実施の形態に係る画像形成装置２００の装置支持台１００の下面図をそれぞれ示す。また、図５は、本発明の実施の形態に係る画像形成装置２００の装置支持台１００の収納部２０の斜視図である。
【００２２】
装置支持台１００は、図２に示すように、支持台部１０と、収納部２０と、キャスター３０とで構成されている。支持台部１０は、図２及び図４（ａ）に示すように、平板状の台部であり、支持台部１０の上面に装置本体部３００を支持するための凹部１１が設けられている。凹部１１は、装置本体部３００の下方に設けられた脚部の先端が当接する位置に設けられている。凹部１１を設けることで、装置本体部３００を装置支持台１００に支持する際に、装置本体部３００の位置決めが容易であるとともに、装置本体部３００が装置支持台１００からずれ落ちることを防止できる。なお、装置本体部３００は、装置支持台１００に支持した上で、固定部材（図示せず）で装置支持台１００に着脱可能に固定する。
【００２３】
また、支持台部１０は、図２及び図３（ａ）に示すように、上面の正面側端部に略コ字状に切断された切断部１２を有している。なお、支持台部１０の正面とは、装置本体部３００を支持台部１００に支持する際に、給紙カセット４が引き出される側をいう。また、支持台部１０は、図４（ｂ）に示すように、支持台部１０の下面に正面側端部から後方に向けて略コ字状に切断された切断部１３を有している。支持台部１０の上面面積、厚さ及び強度は、特に限定されないが、画像形成装置２００の設置面積と同一又は小さい面積であり、従来の画像形成装置５００の装置支持台５０と同程度の厚さで、装置本体部３００を支持することが可能な強度である。
【００２４】
収納部２０は、図５に示すように、引手部２１と、収納部本体２２と、レール（図示せず）とで構成されている。引手部２１は収納部２０の引き手部分であり、収納部本体２２の正面側端部に設けられている。また、引手部２１は、図２及び図３（ａ）に示すように、支持台部１０へ収納される際には、切断部１２に収納される。つまり、切断部１２は、引手部２１の上面より若干大きい面積で設けられている。収納部本体２２は、取扱説明書等を収納可能な収納スペースを有する。収納部本体２２の内部深さは、特に限定されないが、支持台部１０の厚さより深く、かつ収納部２０を支持台部１０へ収納する際に、収納部本体２２の底面が地面に当接しない深さである。収納部本体２２の内部深さが支持台部１０の厚さより深いことから、収納部本体２２が、支持台部１０の下面より突出することで収納スペースを大きく設けることができる。凸状のキャリッジ（図示せず）が、収納部本体２２の上方端部に設けられ、収納部２０を支持台部１０へ収納する際に、収納部本体２２のキャリッジを支持台部１０側のレール（図示せず）に差し込むことにより、収納部２０を支持台部１０へ収納する。なお、収納方式は、特に限定されず、収納部２０を支持台部１０へ収納可能であれば、どのような方式でも構わない。
【００２５】
収納部２０は、図４（ｂ）に示すように、キャスター３０の取付部との干渉を避けるため、キャスター３０の設置位置を考慮して設けられている。従って、収納部２０は、キャスター３０の設置位置により、設置面積が決まる。さらに、収納部２０の設置面積が決まることで、切断部１３の面積も決まる。なお、切断部１３は、収納部２０の設置面積より若干大きい面積で設けられる。
【００２６】
キャスター３０は、図２及び図３に示すように、支持台部１０の下方に複数設けられている。キャスター３０を設けることにより、装置支持台１００を装置本体部３００に支持することで、画像形成装置２００の移動が容易となる。また一部のキャスター３０には、ストッパー（図示せず）が設けられている。ストッパーが設けられていることにより、キャスター３０を設けた装置支持台１００を装置本体部３００に支持した場合でも、画像形成装置２００を設置場所に固定することができる。なお、図３（ａ）には、１つのキャスター３０において車輪が２つ設けられたキャスターを記載しているが、図３（ａ）に記載したキャスターに限定されず、装置支持台１００を装置本体部３００に支持した際に、画像形成装置２００を移動及び固定できるものであれば、どのようなキャスターでも構わない。
【００２７】
装置支持台１００は、支持台部１０の下方に、引き出し可能な収納部２０を設けることにより、取扱説明書等の収納が可能となる。収納部２０は、図２及び図３（ａ）に示すように、引手部２１の前面２１ａが支持台部１０の前面と平面状になるように支持台部１０の下方に収納される。これにより、装置支持台１００の収納部２０引き出し側の面が平面状となり、装置支持台１００が装置本体部３００から突出することがないため、画像形成装置２００の大きさを大きくすることなく取扱説明書等を収納可能な画像形成装置２００の装置支持台１００を提供することができる。また、装置本体部３００から突出する部分がないため、画像形成装置２００のデザインとしてもすっきりしたものとなる。
【００２８】
装置支持台１００は、図３（ｂ）に示すように、支持台部１０とキャスター３０により高さｈが決まり、それに伴って上述した収納部本体２２の内部深さも決まる。高さｈは、特に限定されないが、給紙カセット４の１段分の高さより低い。従って、支持台部１０とキャスター３０は、給紙カセット４の１段分の高さより高くならないように、厚さ及び大きさを選定する必要がある。このように、装置支持台１００の高さｈを、給紙カセット４の１段分の高さより低くすることで、図６（ｄ）の装置支持台５０Ａのような新たに給紙カセットを増設する場合に起きる問題が生じず、画像形成装置２００の高さを高くすることなく、給紙カセット４の積載段数を容易に変更することできる。
【図面の簡単な説明】
【００２９】
【図１】装置本体部３００を本発明の実施形態に係る画像形成装置の装置支持台１００に支持した際の画像形成装置２００の概観を示す斜視図である。
【図２】本発明の実施の形態に係る画像形成装置２００の装置支持台１００の概観を示す斜視図である。
【図３】本発明の実施の形態に係る画像形成装置２００の装置支持台１００の正面図（ａ）及び側面図（ｂ）である。
【図４】本発明の実施の形態に係る画像形成装置２００の装置支持台１００の上面図（ａ）及び下面図（ｂ）である。
【図５】本発明の実施の形態に係る画像形成装置２００の装置支持台１００の収納部２０の斜視図である。
【図６】従来の画像形成装置５００において、給紙カセット５１の装置本体部５２への設置形態を示した模式図である。
【符号の説明】
【００３０】
４      給紙カセット
１０    支持台部
２０    収納部
３０    キャスター
１００  装置支持台
２００  画像形成装置
３００  装置本体部
【図１】
2008015292.tif 000003
【図２】
2008015292.tif 000004
【図３】
2008015292.tif 000005
【図４】
2008015292.tif 000006
【図５】
2008015292.tif 000007
【図６】
2008015292.tif 000008